(57)【要約】【課題】扉を閉じようとする時には下方から手が簡単に届き、扉が閉じる際には自動的に扉の内側に収まることの可能な、ワイヤーを備えた吊戸棚を実現する。【解決手段】扉３を閉じるための扉引き器５を備え、扉引き器５は、扉３の内面に装着されているワイヤー巻き取り具６と、ワイヤー巻き取り具６に巻き取られるワイヤー７（箱体部取付ワイヤー１３、扉引きワイヤー１４）とから成り、ワイヤー７は、ワイヤー巻き取り具６と吊戸棚１の箱体部２の側壁１５に固定されるとともに、ワイヤー巻き取り具６から直接又はガイドを介して垂れ下がっており、ワイヤー７を引くことにより、扉３を閉じる方向に回転させ、ワイヤー７を解放すると、ワイヤー７がワイヤー巻き取り具６に巻き取られて、箱体部２内に収まる。【選択図】図１
2008106517.tif 000002
【特許請求の範囲】
【請求項１】
内部に収納空間を形成する箱体部と、箱体部の前面を覆う扉とからなり、扉は箱体部に、上向きに回転可能に取り付けられて成る吊戸棚であって、
扉を閉じるための扉引き器を備え、扉引き器は、扉の内面に装着されているワイヤー巻き取り具と、ワイヤー巻き取り具に巻き取られるワイヤーとから成り、ワイヤーは、ワイヤー巻き取り具と箱体部の側壁に固定されるとともに、ワイヤー巻き取り具から直接又はガイドを介して垂れ下がっており、ワイヤーを引くことにより、扉を閉じる方向に回転させることが可能に形成され、ワイヤーを解放すると、ワイヤーがワイヤー巻き取り具に巻き取られて、箱体部内に収まることを特徴とする吊戸棚。
【請求項２】
請求項１記載の吊戸棚であって、ワイヤー巻き取り具は、支持軸に回転可能に取り付けられたワイヤー巻胴と、ワイヤー巻胴に装着された巻きバネとを備え、ワイヤーの下端には錘が取り付けられていることを特徴とする吊戸棚。
【請求項３】
請求項２記載の吊戸棚であって、前記ワイヤーは、ワイヤー巻き取り具と箱体部の側壁に固定された箱体部取付ワイヤーと、ワイヤー巻き取り具から垂れ下がる扉引きワイヤーとから成ることを特徴とする吊戸棚。
【請求項４】
請求項３記載の吊戸棚であって、前記箱体部取付ワイヤーと、前記扉引きワイヤーとが、一本のワイヤーで構成されていることを特徴とする吊戸棚。
【請求項５】
請求項３記載の吊戸棚であって、前記ワイヤー巻胴は大径巻胴と小径巻胴が一体的に回転するように形成されており、前記箱体部取付ワイヤーが小径巻胴に取り付けられ、前記扉引きワイヤーが大径巻胴に取り付けられていることを特徴とする吊戸棚。
【発明の詳細な説明】
【技術分野】
【０００１】
本発明は、キッチン等に設けられる吊戸棚に関し、特に、上向きに開放可能に形成されている扉の内面に扉引き器を設けてなる吊戸棚に関する。
【背景技術】
【０００２】
従来、吊戸棚の上向きに開放可能に形成されている扉の内面に扉引きを設けた構成は公知である。例えば、高所設置用収納体において、
扉の内面に下方に垂れ下がる把手を回転自在に取り付けた構成が知られている（特許文献１参照）。
【０００３】
また、吊戸棚において、扉の内面に把手部を有する吊り下げ部材を取り付け、吊り下げ部材に伸縮部材を備え、吊り下げ部材を扉の下方へ露出する、あるいは扉の内部に隠蔽するように調整可能とする構成が知られている（特許文献２参照）。さらに、吊戸棚において、操作具の移動に連動させて、扉を回転させるようにした構成が知られている（特許文献３参照）。
【特許文献１】特開昭５９−１８１１０５号公報
【特許文献２】特開２００１−２４５７３６号公報
【特許文献３】特開２００４−３２１７７０号公報
【発明の開示】
【発明が解決しようとする課題】
【０００４】
上記のように、吊戸棚の扉の内面に扉引きを設ける構成は公知であるが、扉が上方に開いている時には扉引きに下方から手が届くようにぶら下がっており、扉が下方に近づくと扉引きが、扉と吊戸棚本体の間にはさまることなく、自動的に扉の内面側にコンパクトに収納することが望ましい。
【０００５】
本発明は、扉を閉じようとする時には下方から簡単に手が届いて把持しやすく、扉が閉じる際には扉の内側に収まることが可能であり、扉の内面に簡単に装着できる簡単な構造の扉引き器を備えた吊戸棚を実現することを課題とするものである。
【課題を解決するための手段】
【０００６】
本発明は上記課題を解決するために、内部に収納空間を形成する箱体部と、箱体部の前面を覆う扉とからなり、扉は箱体部に、上向きに回転可能に取り付けられて成る吊戸棚であって、扉を閉じるための扉引き器を備え、扉引き器は、扉の内面に装着されているワイヤー巻き取り具と、ワイヤー巻き取り具に巻き取られるワイヤーとから成り、ワイヤーは、ワイヤー巻き取り具と箱体部の側壁に固定されるとともに、ワイヤー巻き取り具から直接又はガイドを介して垂れ下がっており、ワイヤーを引くことにより、扉を閉じる方向に回転させることが可能に形成され、ワイヤーを解放すると、ワイヤーがワイヤー巻き取り具に巻き取られて、箱体部内に収まることを特徴とする吊戸棚を提供する。
【０００７】
前記吊戸棚において、ワイヤー巻き取り具は、支持軸に回転可能に取り付けられたワイヤー巻胴と、ワイヤー巻胴に装着された巻きバネとを備え、ワイヤーの下端には錘が取り付けられていることが好ましい。
【０００８】
前記吊戸棚において、前記ワイヤーは、ワイヤー巻き取り具と箱体部の側壁に固定された箱体部取付ワイヤーと、ワイヤー巻き取り具から垂れ下がる扉引きワイヤーとから成る構成としてもよい。
【０００９】
前記吊戸棚において、前記箱体部取付ワイヤーと、前記扉引きワイヤーとを、一本のワイヤーで構成するようにしてもよい。
【００１０】
前記吊戸棚において、前記ワイヤー巻胴は大径巻胴と小径巻胴が一体的に回転するように形成されており、前記箱体部取付ワイヤーが小径巻胴に取り付けられ、前記扉引きワイヤーが大径巻胴に取り付けられている構成としてもよい。
【発明の効果】
【００１１】
本発明に係る吊戸棚によれば、次のような効果が生じる。
（１）ワイヤー巻き取り具及びワイヤーから成る扉引き器は、構造が簡単であり、既設の吊戸棚にも簡単に適用可能である。
（２）扉が上方に開いていても、ワイヤーが下方に吊り下がっているから、踏み台等を用意することなく、ワイヤーを下方に引くことで、簡単に扉を閉めることができる。
【００１２】
（３）扉が閉じる直前にワイヤーを扉の内側に収めることが可能であるので、ワイヤーを扉と吊戸棚本体に挟まるようなことがなく、操作し易い。
【発明を実施するための最良の形態】
【００１３】
本発明に係る吊戸棚を実施するための最良の形態を実施例に基づき図面を参照して、以下説明する。
【実施例１】
【００１４】
図１及び図２は、本発明に係る吊戸棚の実施例１を模式的に説明する図である。図１（ａ）、（ｂ）及び図２（ａ）、（ｂ）に示すように、実施例１の吊戸棚１は、内部に収納空間を形成する箱体部２と、この箱体部２の前面を覆う扉３とからなる。
【００１５】
扉３は、箱体部２に上向きに開くように、ヒンジ４によって回転可能に取り付けられている。扉３を開き、開いた状態を保持するためには、特に図示はしないが、バネ、手動、電動、油圧等の力で機械的に開き、そして、開いた状態を維持可能とする周知の開閉機構が採用されている。
【００１６】
扉３を閉じるために、吊戸棚１には、扉引き器５が取り付けられている。この扉引き器５は、扉３の内面に装着されているワイヤー巻き取り具６と、ワイヤー７とから構成される。本実施例１の説明では、本発明の原理を模式的に分かりやすく説明するために、ワイヤー巻き取り具６は、図中で大きく記載したが、実際の製品としては、箱体部２内の収納物の邪魔にならない程度、小さく形成する。
【００１７】
ワイヤー巻き取り具６は、図１（ａ）及び図１（ｂ）に示すように、取り付け部材８により扉３の先端側（下端側）の内面に固定されており、円筒ケース９と、円筒ケース９に固定された支持軸１０と、この支持軸１０に回転可能に取り付けられたワイヤー巻胴１１と、ワイヤー巻胴１１内に装着された渦巻きバネ１２とから構成されている。
【００１８】
ワイヤー巻胴１１は、図１（ｅ）に示すように、その中心において両側壁にフランジ付き中心孔１１’が形成されており、この中心孔１１’に支持軸１０が嵌合することで、支持軸１０に回転可能に取り付けられている。
【００１９】
渦巻きバネ１２は、その内端（中心端）は支持軸１０に固定され、その外端はワイヤー巻胴１１に固定されており、ワイヤー巻胴１１を支持軸１０を中心として一方向（図１及び図２中の矢印Ｂ方向）に回転可能に付勢するように構成されている。なお、バネは、ワイヤー巻胴１１に回転力を付勢するのであれば、渦巻きバネ１２ではなく、捩りバネ等他のバネでもよい。
【００２０】
ワイヤー７は、箱体部取付ワイヤー１３と扉引きワイヤー１４とから成る。箱体部取付ワイヤー１３の下端は、箱体部２の下部の側壁１５の内面に適宜、取付具で取り付けられている。そして、箱体部取付ワイヤー１３の上端はワイヤー巻胴１１の巻き面に取り付けられ、渦巻きバネ１２によりワイヤー巻胴１１が付勢される回転方向（図１及び図２中、矢印Ｂ方向）に巻き付けられるように構成されている。
【００２１】
扉引きワイヤー１４の上端は、ワイヤー巻胴１１の巻き面に取り付けられ、渦巻きバネ１２でワイヤー巻胴１１が回転される方向（矢印Ｂ方向）に巻き付けられるように構成されている。要するに、箱体部取付ワイヤー１３と扉引きワイヤー１４は、ワイヤー巻胴１１に同じ回転方向に、渦巻きバネ１２の弾力で巻き付けられるように取り付けられている。扉引きワイヤー１４の下端には、手掛け兼用の錘１６が取り付けられている。この錘１６の重量は、その重力によって渦巻きバネ１２を巻く（付勢する）ことのない程度にする。
【００２２】
（作用）
以上の構成から成る本発明に係る吊戸棚１の実施例１を、図１及び図２に従って説明する。図１（ａ）、（ｂ）は、扉３を上方に開き、保持した状態を示している。図２（ｃ）、（ｄ）に示す扉３を閉じた状態から扉を開くと、ワイヤー巻胴１１に巻き付けられていた箱体部取付ワイヤー１３が引っ張られて、ワイヤー巻胴１１から送り出されはじめ、ワイヤー巻胴１１は時計針方向（図１（ａ）、（ｂ）中の矢印Ｗ方向）に回転し、扉引きワイヤー１４もワイヤー巻胴１１から送り出されはじめ、渦巻きバネ１２は巻かれ始める（巻き上げによる付勢が開始する）。
【００２３】
さらに、扉３を上方に開くにしたがって、箱体部取付ワイヤー１３の全長がワイヤー巻胴１１から送り出されると、箱体部取付ワイヤー１３が張った状態となり、箱体部取付ワイヤー１３が引っ張る力（張力）Ｔによって、ワイヤー巻胴１１がさらに時計針方向（図１（ａ）、（ｂ）中の矢印Ｗ方向）に回転され、渦巻きバネ１２が巻かれる（付勢される）。
【００２４】
そして、扉３が図１（ａ）、（ｂ）の開いた状態になって維持されると、箱体部取付ワイヤー１３により引っ張られたまま渦巻きバネ１２はバネが巻かれた状態に保持される。また、扉引きワイヤー１４は、錘１６により下方に垂れた状態となっている。なお、扉引きワイヤー１４は、ワイヤー巻胴１１に箱体部取付ワイヤー１３と同じ方向に巻かれるように取り付けられているから、錘１６による重力は、渦巻きバネ１２のバネが巻かれる（付勢される）方向に作用するが、上記したとおり、錘１６の重量は渦巻きバネ１２を巻く（付勢する）程大きくない。
【００２５】
使用者が扉３を閉じようとする場合は、図１（ａ）の状態から図１（ｃ）、（ｄ）に示すように、扉引きワイヤー１４を下方に力（引張力）Ｆで引くと、渦巻きバネ１２はバネが巻かれた状態を保持しながら、扉３が下方に回転する。
【００２６】
すると、箱体部取付ワイヤー１３は、その張力Ｔがなくなり撓んだ状態（図１（ｃ）参照）となるが、扉引きワイヤー１４の引張力Ｆによって渦巻きバネ１２が巻かれた状態に保持されるから、渦巻きバネ１２の弾力（付勢力）Ｂで箱体部取付ワイヤー１３をワイヤー巻胴１１に巻き取るようなことはない。
【００２７】
さらに使用者が扉引きワイヤー１４を下方に引張り、図２（ａ）、（ｂ）に示すように、扉３が箱体部２の近く下方まで回転してから、使用者が扉引きワイヤー１４から手を離すと、扉引きワイヤー１４による渦巻きバネ１２の拘束が解放され、渦巻きバネ１２の付勢力により、ワイヤー巻胴１１が矢印Ｂ方向に回転し、箱体部取付ワイヤー１３及び扉引きワイヤー１４がワイヤー巻胴１１に巻き付けられる。
【００２８】
このように、箱体部取付ワイヤー１３及び扉引きワイヤー１４がワイヤー巻胴１１に巻き付けられるので、図２（ｃ）、（ｄ）に示すように、錘１６も含めて扉引きワイヤー１４は箱体部２内に収まる。従って、扉引き器５は、扉３と閉じると、箱体部２の外部から見えなくなり、外観がすっきりして見栄えが良い。
【実施例２】
【００２９】
図３及び図４は、本発明の実施例２を説明する図である。この実施例２は、実施例１と原理及び構成は、ほぼ同じであるが、実施例１では、箱体部取付ワイヤー１３と扉引きワイヤー１４を別々ワイヤーとしているのに対して、実施例２では、箱体部取付ワイヤーと扉引きワイヤーを１本のワイヤー１７で機能させ、このワイヤー１７をワイヤー巻胴１８に巻き付けて取り付ける（実質的に固定する）構成した点で異なる。
【００３０】
実施例２のワイヤー巻き取り具１９は、図３（ａ）、（ｂ）に示すように、取り付け部材８により扉３の先端側（下端側）の内面に固定されており、実施例１と同様に、円筒ケース２０と、円筒ケース２０に固定された支持軸１０と、この支持軸１０に回転可能に取り付けられたワイヤー巻胴１８と、ワイヤー巻胴１８内に装着された渦巻きバネ１２とから構成されている。
【００３１】
円筒ケース２０は、その周壁にワイヤー１７を通す第１の通孔２１と第２の通孔２２が形成されている。円筒ケース２０に支持軸１０によりワイヤー巻胴１８が回転可能に取り付けられる構成は、実施例１（図１（ｅ）参照）と同じである。渦巻きバネ１２は、その内端（中心端）は支持軸１０に固定され、その外端はワイヤー巻胴１８に固定されており、ワイヤー巻胴１８を一方向（図１及び図２中、矢印Ｂ方向）に回転可能に付勢するように構成されている。                                                             
【００３２】
ワイヤー巻胴１８に、図３（ｂ）、（ｄ）及び図４（ｂ）、（ｄ）に示すように、１本のワイヤー１７が巻き付けられて取り付けられている。具体的には、第１の通孔２１から挿入されたワイヤー１７は、渦巻きバネ１２で巻き付けられる方向でワイヤー巻胴１８に巻きつけられ、ワイヤー巻胴１８に形成された第１の取付孔２３からワイヤー巻胴１８内に導入され、渦巻きバネ１２の外側をほぼ半周してからワイヤー巻胴１８に形成された第２の取付孔２４から導出されて折り返され、さらにワイヤー巻胴１８に巻き付けられ、第２の通孔２２から導出される。
【００３３】
ワイヤー１７のうち第１の通孔２１から外側に延びる側（箱体部取付側）１７ｔの一端は、箱体部２の方向に伸び、箱体部２の下部の側壁１５の内面に取り付けられている（図３（ａ）参照）。そして、ワイヤー１７のうち第２の通孔２２の外側に延びる側（引き側）１７ｆは下方に垂らされており、その下端には、手掛け兼用の錘１６が取り付けられている。この錘１６の重量は、実施例１と同様に、その重力によって渦巻きバネ１２を巻く（付勢する）ことのない程度である。
【００３４】
（作用）
以上の構成から成る本発明に係る吊戸棚１の実施例２を、図３及び図４により以下に説明する。図３（ａ）、（ｂ）は、扉３を上方に開き、保持した状態を示している。図４（ｃ）、（ｄ）に示す扉３を閉じた状態から扉を開くと、ワイヤー巻胴１８に巻き付けられていたワイヤー１７の箱体部取付側１７ｔが引っ張られて、ワイヤー巻胴１８から送り出されはじめ、ワイヤー巻胴１８は時計針方向（図３（ａ）、（ｂ）中の矢印Ｗ方向）に回転し、ワイヤー１７の引き側１７ｆもワイヤー巻胴１８から送り出されはじめ、渦巻きバネ１２は巻かれ始める（巻き上げによる付勢が開始する）。
【００３５】
さらに、扉３を上方に開くにしたがって、ワイヤー１７の箱体部取付側１７ｔの全長がワイヤー巻胴１８から送り出されると、箱体部取付側１７ｔが張った状態となり、箱体部取付側１７ｔが引っ張る力（張力）Ｔによって、ワイヤー巻胴１８がさらに時計針方向（図３（ａ）、（ｂ）中の矢印Ｗ方向）に回転され、渦巻きバネ１２が巻かれる（付勢される）。
【００３６】
そして、扉３が図３（ａ）、（ｂ）の開いた状態になって維持されると、箱体部取付側１７ｔにより引っ張られたまま渦巻きバネ１２はバネが巻かれた状態に保持される。また、ワイヤー１７の引き側１７ｆは、錘１６により下方に垂れた状態となっている。
【００３７】
使用者が扉３を閉じようとする場合は、図３（ａ）、（ｂ）の状態から図３（ｃ）、（ｄ）に示すように、扉引きワイヤー１７の引き側１７ｆを力（引張力）Ｆで下方に引くと、扉３が下方に回転する。すると、ワイヤー１７の箱体部取付側１７ｔは、その張力がなくなり撓んだ状態（図３（ｃ）参照）となる。しかし、ワイヤー１７の引き側１７ｔの引張力Ｆによって渦巻きバネ１２が巻かれた状態に保持されているから、渦巻きバネ１２の付勢力でワイヤーの箱体部取付側１７ｔをワイヤー巻胴１８に巻き取るようなことはない。  
【００３８】
使用者が、さらに、ワイヤー１７の引き側１７ｆを下方に力（引張力）Ｆで引張り、図４（ａ）、（ｂ）に示すように、扉３が下方まで回転してから、使用者がワイヤー１７の引き側１７ｆを手から離すと、巻かれた状態の渦巻きバネ１２が解放状態となり、渦巻きバネ１２の付勢力によりワイヤー巻胴１８が矢印Ｂ方向に回転しワイヤー１７の箱体部取付側１７ｔ及び引き側１７ｆがワイヤー巻胴１８に巻き付けられる。
【００３９】
このように、ワイヤー１７の箱体部取付側１７ｔ及び引き側１７ｆがワイヤー巻胴１８に巻き付けられるので、図４（ｃ）、（ｄ）に示すように、錘１６も含めて扉引きワイヤー１４は箱体部２内に収まる。従って、扉３を閉じると、扉引き器５は、箱体部２の外部から見えなくなり、外観がすっきりして見栄えが良い。
【実施例３】
【００４０】
図５〜図７は、本発明の実施例３を説明する図である。この実施例３は、実施例１、２と原理は、ほぼ同じである。しかし、実施例１、２ではワイヤー巻胴１１を単一径としたが、実施例３では、ワイヤー巻胴２５を、大径巻胴２６と小径巻胴２７の大小２つの径の巻胴が一体で回転するように、一体的に構成した点で異なる。
【００４１】
実施例３においても、図５（ａ）に示すように、吊戸棚１の箱体部２に、その前面を覆う扉３が上下方向に開閉可能にヒンジ４により、回転可能に取り付けられている。そして、この吊戸棚１には、扉引き器２８が取り付けられている。この扉引き器２８は、扉３の内面に装着されているワイヤー巻き取り具２９と、ワイヤー３１とから構成され、ワイヤー３１はワイヤー巻き取り具２９からガイドとしてのガイドプーリ３０を介して下方へ垂れ下がっている。
【００４２】
ワイヤー巻き取り具２９は、図７（ａ）、（ｂ）に示すような取り付け部材８により、扉３の比較的基端側（上側）の内面（図５（ａ）参照）に固定されている。ワイヤー巻き取り具２９は、図７（ａ）、（ｂ）に示すように、円筒ケース３２と、円筒ケース３２に固定された支持軸１０と、この支持軸１０に回転可能に取り付けられたワイヤー巻胴２５と、ワイヤー巻胴２５に装着された渦巻きバネ１２とから構成されている。
【００４３】
円筒ケース３２は、大径部３３と小径部３４とから一体に形成されており、大径部３３には第１の通孔３５が形成され、小径部３４には第２の通孔３６が形成されている。円筒ケース３２の中心に支持軸１０が固定されており、この支持軸１０に、実施例１（図１（ｅ）参照）と同様によりワイヤー巻胴２５が回転可能に取り付けられている。
【００４４】
ワイヤー巻胴２５は、前記のとおり、大径巻胴２６と小径巻胴２７が一体的に回転するように形成されている。大径巻胴２６内に、渦巻きバネ１２が装着されている。渦巻きバネ１２は、その内端（中心端）は支持軸１０に固定され、その外端は大径巻胴２６の内面に固定されており、ワイヤー巻胴２５を一方向（図５〜７の矢印Ｂ方向）に付勢するように構成されている。
【００４５】
ワイヤー３１は、実施例１と同様に、箱体部取付ワイヤー３７と扉引きワイヤー３８とから成る。箱体部取付ワイヤー３７の下端は、箱体部２の側壁１５の比較的上部の内面（図５、６参照）に、図示しない取付具で取り付けられている。そして、箱体部取付ワイヤー３７の上端は、第２の通孔３６から円筒ケース３２の小径部３４内に入り、小径巻胴２７の巻き面に取り付けられ、渦巻きバネ１２の付勢力でワイヤー巻胴２５が回転される方向（図５〜７の矢印Ｂ方向）に巻き付けられるように構成されている。
【００４６】
扉引きワイヤー３８の上端は、大径巻胴２６の巻き面に取り付けられ、渦巻きバネ１２の付勢力でワイヤー巻胴２５が回転される方向（矢印Ｂ方向）に巻き付けられるように構成されている。要するに、箱体部取付ワイヤー３７及び扉引きワイヤー３８は、小径巻胴２７及び大径巻胴２６に同じ方向（矢印Ｂ方向）に巻き付けられるように取り付けられている。
【００４７】
扉引きワイヤー３８は、図５に示すように、円筒ケース３２の第１の通孔３５から出てから、ガイドプーリ３０により扉３の内面に沿うように案内され、さらに下方に垂らされ、その下端には手掛け兼用の錘１６が取り付けられている。この錘１６は、その重力によって渦巻きバネを巻く（付勢すること）ことがないような重量を有する。
【００４８】
なお、この実施例３においても、ワイヤー３１は、実施例２と同様に、１本のワイヤーをワイヤー巻胴２５に巻き付けて取り付けた構成としてもよい。    
【００４９】
（作用）
以上の構成から成る本発明に係る吊戸棚の実施例３を、図５〜図７により以下に説明する。なお、図５（ａ）、（ｂ）の扉３の上方及び図６（ａ）、（ｂ）の扉３の側方に記載されている図は、それぞれワイヤー巻胴２５の大径巻胴２６及び渦巻きバネ１２の状態を説明するための円筒ケース３２の大径部３３における断面図である。   
【００５０】
図５（ａ）は、扉３を上方に開き、保持した状態を示している。図６（ｂ）に示す扉３を閉じた状態から扉３を開くと、小径巻胴２７に巻き付けられていた箱体部取付ワイヤー３７が引っ張られて、小径巻胴２７から送り出されはじめ、ワイヤー巻胴２５は時計針方向（図５（ａ）中の矢印Ｗ方向）に回転し、扉引きワイヤー３８も大径巻胴２６から送り出されはじめ、渦巻きバネ１２は巻かれ始める（巻き上げによる付勢が開始する）。この時、大径巻胴２６は小径巻胴２７より大径のために、扉引きワイヤー３８の送り出し量が多いので、十分の長さを、迅速に下方に垂らしていくことができる。
【００５１】
さらに、扉３を上方に開くにしたがって、箱体部取付ワイヤー３７の全長が小径巻胴２７から送り出されると、箱体部取付ワイヤー３７が張った状態となり、箱体部取付ワイヤー３７が引っ張る力（張力）Ｔによって、大径巻胴２６及び小径巻胴２７がさらに時計針方向（図５（ａ）中の矢印Ｗ方向）に回転され、渦巻きバネ１２が巻かれる（付勢される）。
【００５２】
そして、扉３が図５（ａ）の開いた状態になって維持されると、箱体部取付ワイヤー１３により引っ張られたまま渦巻きバネ１２はバネが巻かれた状態に保持される。また、扉引きワイヤー３８は、ガイドプーリ３０で支持されて錘１６により下方に垂れた状態となっている。
【００５３】
使用者が扉３を閉じようとする場合は、図５（ａ）の状態から図５（ｂ）に示すように、扉引きワイヤー３８を下方に力（引張力）Ｆで引くと、扉３が下方に回転する。すると、箱体部取付ワイヤー３７は、張力Ｔがなくなり撓んだ状態（図５（ｂ）参照）となるが、扉引きワイヤー３８の引張力Ｆによって渦巻きバネ１２が巻かれた状態で保持されているから、渦巻きバネ１２の付勢力で箱体部取付ワイヤー３７をワイヤー巻胴２５に巻き取るようなことはない。
【００５４】
使用者が、さらに、扉引きワイヤー３８を下方に引張り、図６（ａ）に示すように、扉３が箱体部２の近くの下方まで回転してから、使用者が扉引きワイヤー３８から手を離すと、巻かれた状態の渦巻きバネ１２が解放状態となり、渦巻きバネ１２の付勢力により扉引きワイヤー３８及び箱体部取付ワイヤー３７が、大径巻胴２６及び小径巻胴２７に巻き付けられる。
【００５５】
この時、大径巻胴２６は小径巻胴２７より大径のために、扉引きワイヤー３８の巻き取り量が多くなり、十分の長さを、迅速に巻き取ることができる。また、扉を開くときには、大径巻胴により扉引きワイヤー３８の迅速な送り出しが可能となり、ワイヤーを十分な長さ吊り下げることができる。
【００５６】
このように、ワイヤー巻胴をワイヤー巻胴を大径巻胴と小径巻胴とで形成し、大径巻胴に箱体部取付ワイヤーを巻き取る構成とすれば、箱体部取付ワイヤーの迅速な巻き取り送り出しが可能となり、また、扉３を閉じた際には箱体部取付ワイヤー３７及び扉引きワイヤー３８は、巻胴２５に巻き付けられるので、図６（ｂ）に示すように、錘１６も含めて箱体部２内に収まる。従って、扉３を閉じると、扉引き器２８は、箱体部２の外部から見えなくなり、外観がすっきりして見栄えが良い。
【００５７】
この実施例３では、ワイヤー巻き取り具２９は、扉３の比較的上端側に取り付けられており、しかも箱体部取付ワイヤー３７の下端を箱体部２の比較的上部に取り付けたので、箱体部取付ワイヤー３７が短くてよく、小径巻胴２７でも十分巻き取ることが可能である。しかも、図５（ｂ）に示すように、扉３を閉じる途中において箱体部取付ワイヤー３７が撓んでもその量は多くないので、邪魔となったり見栄えが悪くなるようなことはなくなる。
【００５８】
以上、本発明に係る吊戸棚を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５９】
以上の構成から成る本発明に係る吊戸棚は、システムキッチンに配設された吊戸棚だけでなく、洗面室、その他居間、書斎等、通常の室内に配設される吊戸棚にも適用可能である。
【図面の簡単な説明】
【００６０】
【図１】本発明の実施例１を説明する図であり、（ａ）、（ｃ）は吊戸棚に扉引き器を取り付けた全体構成を示し、（ｂ）、（ｄ）、（ｅ）は要部を説明する図である。
【図２】本発明の実施例１を説明する図であり、（ａ）、（ｃ）は吊戸棚に扉引き器を取り付けた全体構成を示し、（ｂ）、（ｄ）は要部を説明する図である。
【図３】本発明の実施例２を説明する図であり、（ａ）、（ｃ）は吊戸棚に扉引き器を取り付けた全体構成を示し、（ｂ）、（ｄ）は要部を説明する図である。
【図４】本発明の実施例２を説明する図であり、（ａ）、（ｃ）は吊戸棚に扉引き器を取り付けた全体構成を示し、（ｂ）、（ｄ）は要部を説明する図である。
【図５】本発明の実施例３を説明する図であり、（ａ）、（ｂ）は吊戸棚に扉引き器を取り付けた全体構成及び要部を説明する図である。
【図６】本発明の実施例３を説明する図であり、（ａ）、（ｂ）は吊戸棚に扉引き器を取り付けた全体構成及び要部を説明する図である。
【図７】本発明の実施例３の要部を説明する図である。
【符号の説明】
【００６１】
１  吊戸棚                                       
２  箱体部                                       
３  扉                                           
４  ヒンジ                                       
５、２８  扉引き器                               
６、１９、２９  ワイヤー巻き取り具               
７、１７、３１  ワイヤー                         
８  取り付け部材                                 
９、２０、３２  円筒ケース                       
１０  支持軸                                     
１１、１８、２５  ワイヤー巻胴
１１’  中心孔                   
１２  渦巻きバネ                                 
１３、３７  箱体部取付ワイヤー                   
１４、３８  扉引きワイヤー                       
１５  箱体部の側壁                               
１６  錘                                         
２１、３５  円筒ケースの第１の通孔               
２２、３６  円筒ケースの第２の通孔               
２３  巻胴の第１の取付孔                         
２４  巻胴の第２の取付孔                         
２６  大径巻胴                                   
２７  小径巻胴                                   
３０  ガイドプーリ                               
３３  円筒ケースの大径部                         
３４  円筒ケースの小径部                         
【図１】
2008106517.tif 000003
【図２】
2008106517.tif 000004
【図３】
2008106517.tif 000005
【図４】
2008106517.tif 000006
【図５】
2008106517.tif 000007
【図６】
2008106517.tif 000008
【図７】
2008106517.tif 000009